(57)【特許請求の範囲】
【請求項１】
間仕切装置の構造部材である支柱の側面を覆う側部カバーに、支柱の側面に穿設された係合孔に係合させるための取付具を取り付けるための取付構造であって、
側部カバーの内部に中空部を設けるとともに、側部カバーにおける支柱の側面との対向面に、前記中空部と連通する嵌合孔を設け、
前記取付具を、嵌合孔に嵌合される基板と、前記基板の縁部から支柱に向かって延出し、先端部が基板の幅方向の外側に突出するとともに、基板の幅方向に弾性変形可能であり、かつ、前記中空部内において嵌合孔の周縁部の裏面に係合する抜け止め片と、前記基板から基板の裏面側に突出するとともに、中空部の側面に圧接するべく、基板の板厚方向に弾性変形可能な押圧片とを具備するものとしたことを特徴とする間仕切装置における側部カバーへの取付具の取付構造。
【請求項２】
嵌合孔の形状をほぼ方形とし、前記基板を嵌合孔とほぼ補形をなすものとするとともに、前記基板の角部に、支柱に向かって延出して、前記嵌合孔の角部に係合する複数の突片を設けたことを特徴とする請求項１記載の間仕切装置における側部カバーへの取付具の取付構造。
【請求項３】
側部カバーと取付具とを、同じ材料により形成したことを特徴とする請求項１または２記載の間仕切装置における側部カバーへの取付具の取付構造。
【発明の詳細な説明】
【０００１】
【発明の属する技術分野】
本発明は、間仕切装置の構造部材である支柱の側面を覆う側部カバーに、支柱の側面に穿設された係合孔に係合する取付具を取り付けるための構造に関する。
【０００２】
【従来の技術】
室内を複数のパネルをもって仕切る間仕切装置においては、外観を向上させるために、パネルを支持する複数の支柱のうち、最も外側の支柱の外部に露呈する側面に、側部カバーが取り付けられている。
【０００３】
側部カバーを支柱の側面に取り付ける従来技術の一例としては、支柱の側面に係合孔を穿設するとともに、側部カバーの裏面に、係止フック等の取付具をねじ止めや溶接等により固着して、この取付具を上記係合孔に係合するものがある。
【０００４】
【発明が解決しようとする課題】
しかし、上記のように取付具を側部カバーに固着してしまうと、取付具の取付位置の変更がきかないため、係合孔が異なる位置に設けられている別の支柱には、上記の側部カバーを取り付けられなくなってしまうとともに、側部カバーへの取付具の取付け作業が煩雑である。
【０００５】
本発明は、上述のような問題点を解決するためになされたもので、側部カバーを間仕切パネルの支柱の側面に取り付けるための取付具を、側部カバーに対して着脱自在とするとともに、側部カバーに、極めて簡単かつ強固に取り付けうるようにした、間仕切装置における側部カバーへの取付具の取付構造を提供することを目的としている。
【０００６】
【課題を解決するための手段】
本発明によると、上記課題は、次のようにして解決される。
(１)  間仕切装置の構造部材である支柱の側面を覆う側部カバーに、支柱の側面に穿設された係合孔に係合する取付具を取り付けるための取付構造であって、側部カバーの内部に中空部を設けるとともに、側部カバーにおける支柱の側面との対向面に、前記中空部と連通する嵌合孔を設け、前記取付具を、嵌合孔に嵌合される基板と、前記基板の縁部から支柱に向かって延出し、先端部が基板の幅方向の外側に突出するとともに、基板の幅方向に弾性変形可能であり、かつ、前記中空部内において嵌合孔の周縁部の裏面に係合する抜け止め片と、前記基板から基板の裏面側に突出するとともに、中空部の側面に圧接するべく、基板の板厚方向に弾性変形可能な押圧片とを具備するものとする。
【０００７】
(２)  上記(１)項において、嵌合孔の形状をほぼ方形とし、前記基板を嵌合孔とほぼ補形をなすものとするとともに、前記基板の角部に、支柱に向かって延出して、前記嵌合孔の角部に係合する複数の突片を設ける。
【０００８】
(３)  上記(１)項まはた(２)項において、側部カバーと取付具とを同じ材料により製造する。
【０００９】
【発明の実施の形態】
以下、本発明の第１の実施形態を備える間仕切装置について、図１〜図９を参照しながら説明する。
なお、以下の説明中においては、図１の紙面の手前側を「前方」、紙面の裏側を「後方」と定義する。
【００１０】
間仕切装置(１)の構造部材である方形枠状のフレーム(２)は、左右１対の金属製の支柱(３)(３)の上端部と下部との対向面に、左右方向を向く金属製の横杆(４)(４)の左右両端部を、溶接またはねじ止め等により固着したものである。
【００１１】
図２に示すように、両支柱(３)(３)は、その外側の端面に上下方向を向くＶ字溝(3a)が形成された中空のほぼ角管状のものであり、その前後両面における上端部と下端部とにはパネル(Ｐ)係止用の係止孔(3b)（図２では上端部のもののみを示す）が穿設されている。
【００１２】
図２及び図７に示すように、支柱(３)における外側の端面と前面及び後面とが交わる角部には、図示を省略した棚板等のブラケットを係止するための、前面（後面）及び外側面が開口する縦長のスリット(3c)が、上下方向に並べて多数穿設されている。
【００１３】
図７〜図９に示すように、支柱(３)の外側の端面の上端部と下端部とには、後述する取付具(10)の係合片(15)を嵌合するための係合孔(3d)が穿設（図では上端部のもののみを示す）されており、また、図２及び図８に示すように、内側の端面における係合孔(3d)と等高をなす個所には通孔(3e)（図では上端部のもののみを示す）が穿設されている。
【００１４】
パネル(Ｐ)は、フレーム(２)とほぼ同形同寸法のものであり、その裏面の四隅に設けられた下向きのフック等の係止具(５)（図２においては、上端部の一方のもののみを示す）を支柱(３)の係止孔(3b)に嵌合して係止させることにより、フレーム(２)の前後両面に取り付けられている。
フレーム(２)の上面には、左右方向を向く上部カバー(６)が取り付けられており、フレーム(２)の前後両面の下端部には、左右方向を向く幅木(７)が取り付けられている。
【００１５】
支柱(３)の外側の端面（複数枚のパネル(Ｐ)を左右方向に連結した間仕切装置においては、その最も外側に配置される支柱(３)の外側の端面）に取り付けられる上下方向を向く側部カバー(８)は、合成樹脂材により成形された中空のもので、その裏面における係合孔(3d)と等高をなす個所には、やや大寸で、ほぼ長方形状の嵌合孔(９)が穿設されている。
【００１６】
図２〜図５に詳しく示すように、嵌合孔(９)に取り付けられる取付具(10)は、以下に詳しく説明するような合成樹脂製のものである。
嵌合孔(９)と同寸同形状をなす垂直板状の基板(11)の四隅には、やや足の長い突片(12)が左方に向けて突設されており、前後方向に隣り合う突片(12)同士は前後方向を向く補強片(13)で結合されている。基板(11)の前後の縁部には、左方に向かって延出し、先端部が基板(11)の前方及び後方に若干突出する、前後方向に弾性変形可能な、上下１対ずつの抜け止め片(14)が、左方に向けて設けられている。
【００１７】
基板(11)のほぼ中央部には、上下方向に弾性変形可能な左方を向く上下１対の係合片(15)が突設されており、両係合片(15)(15)の先端部同士は、薄肉で可撓性のある正面視ほぼく字形の連結片(16)をもって結合され、両係合片(15)(15)の先端部の上下の外面には、平面視ほぼＶ字形の係止爪(17)(17)が連設されている。
基板(11)における係合片(15)(15)の上方と下方とには、先端部が基板(11)の裏側に向かって若干突出する、左右方向に弾性変形可能な押圧片(18)(18)が、切込み形成されている。
【００１８】
取付具(10)を、図２に示す姿勢のまま嵌合孔(９)に押し込むと、抜け止め片(14)は、嵌合孔(９)の周縁部に互いに圧接して互いに内向きに若干弾性変形した後、側部カバー(８)の内部において外向きに弾性復帰する。取付具(10)が、押圧片(18)が嵌合孔(９)の底部に当接するまで押込まれると、抜け止め片(14)は嵌合孔(９)の周縁部の裏面に係合し、四個の突片(12)は嵌合孔(９)の四隅に係合する（図５、図８参照）。
このようにして、取付具(10)を嵌合孔(９)に取り付けると、取付具(10)は側部カバー(８)に対して、上下左右及び前後方向に移動不能になるとともに、側部カバー(８)に対して相対回転不能となる。
【００１９】
側部カバー(８)と一体となった取付具(10)の係合片(15)(15)を、四隅の突片(12)を支柱(３)のスリット(3c)の右側面開口部に嵌合しながら（図６、図７参照）、係合孔(3d)に押し込むと、係止爪(17)が係合孔(3d)の上下両縁部に圧接して、係合片(15)(15)は、互いに近づく方向に若干弾性変形させられる。
係止爪(17)が係合孔(3d)を乗り越えて支柱(３)の内部に入ると、係合片(15)(15)が互いに離れる方向に弾性復帰して、Ｖ字状の係止爪(17)(17)がＶ字溝(3a)の裏面に係合し、側部カバー(８)の裏面が支柱(３)の外側の端面に当接することにより（図６、図８参照）、側部カバー(８)は、支柱に対してがたつくことなく取り付けられる。
【００２０】
このようにして側部カバー(８)を支柱(３)に取り付けると、取付具(10)の突片(12)が支柱(３)のスリット(3c)に嵌合しているので、取付具(10)が支柱(３)に対して相対回転することはなく、取付具(10)と一体となっている側部カバー(８)の相対回転も規制される。
【００２１】
パネル(Ｐ)をフレーム(２)から取り外した状態で、図９に示すように、フレーム(２)の内側から支柱(３)の通孔(3e)に、例えばドライバー(19)のような先端の尖ったものを挿入し、ドライバー(19)の先端部で連結片(16)を外向きに押圧し、上下の係合片(15)(15)を互いに近づく方向に弾性変形させれば、係止爪(17)(17)と係合孔(3d)との係合が解除され、側部カバー(８)を支柱(３)から簡単に取り外すことができる。
【００２２】
次に、本発明の第２の実施形態を備える間仕切装置について、図１０及び図１１を参照しながら説明する。
なお、第１の実施形態と同じ部材には同じ符号を付すに止めて、その詳細な説明は省略する。
【００２３】
本実施形態の取付具(20)は、上下の係合片(15)の先端部同士を、正面視において中央部が基板(11)と反対方向に向かって膨らむ、可撓性のある連結片(21)をもって結合したものとしてある。
【００２４】
基板(11)のほぼ中央部には通孔(22)が設けられ、かつ側部カバー(８)における上記通孔(22)と対向する個所には窓孔(23)が穿設され、この窓孔(23)は、着脱自在なキャップ(24)により閉塞可能としてある。
なお、支柱(３)側には、第１の実施形態において、設けられていた通孔(3e)は設けられていない。
【００２５】
図１０に示すように、係合片(15)を係合孔(3d)に挿通し、係止爪(17)を係合孔(3d)の裏面の周縁部に係合することにより、側部カバー(８)を支柱(３)に取り付けることができる。
【００２６】
側部カバー(８)を支柱(３)から外すには、図１１に示すように、キャップ(24)を窓孔(23)から取り外した後、ドライバー(19)を窓孔(23)に挿入して、その先端部を連結片(21)の裏面中央部に押し当て、そのまま間仕切装置(１)の内部に向けて押圧し、上下の係合片(15)(15)を互いに近づくように弾性変形させて、係止爪(17)と係合孔(3d)との係合を解除すればよい。
【００２７】
連結片(16)は、図３に想像線(16’)で示すように、１対の係合片(15)の中間部同士を連結するように設けても、上記と同様に作用することができる。
抜け止め片(14)は、基板(11)の上下の縁部に設けてもよい。
【００２８】
【発明の効果】
本発明によれば、次のような効果を奏することができる。
(ａ)  請求項１記載の発明によれば、取付具を側部カバーに対して着脱自在としてあるので、係合孔の設けられている位置が異なる様々なタイプの支柱に、側部カバーを取り付けることができる。
また、取付具の基板を嵌合孔に押し込むだけで、基板の縁部に設けられた抜け止め片が嵌合孔の周縁部の裏面に係合し、かつ押圧片が中空部の側面に圧接して、基板を、抜け止め片が嵌合孔の周縁部の裏面に係合する方向に付勢するので、取付具を側部カバーに、１回の動作で極めて簡単かつ強固に取り付けることができる。
【００２９】
(ｂ)  請求項２記載の発明によれば、基板から突出する突片が、嵌合孔の角部に係合するので、取付具を嵌合孔に位置決めできるとともに、基板が側部カバーに対して相対回転するのを防止できる。
また、基板を嵌合孔に押し込む際に、各突片が嵌合孔の角部に係合して、基板の位置決めを行うので、嵌合孔を基板にスムーズに押し込むことができる。
【００３０】
(ｃ)  請求項３記載の発明によれば、側部カバーと取付具が、ともに同じ材料により形成されているので、不要時には、両者を分別することなく、一体のまま廃棄処分することができる。
【図面の簡単な説明】
【図１】本発明の第１の実施形態を備える間仕切装置の正面図である。
【図２】図１の間仕切装置の要部の拡大分解斜視図である。
【図３】図２における取付具の側面図である。
【図４】同じく底面図である。
【図５】上記取付具を側部カバーに取り付けた状態における側部カバーの要部の裏面図である。
【図６】図１のVI−VI線における拡大横断平面図である。
【図７】図６のVII−VII線における拡大縦断側面図である。
【図８】図６のVIII−VIII線における拡大縦断側面図である。
【図９】上記取付具と支柱の係合孔との係合を解除する様子を示す、図８と同様の拡大縦断側面図である。
【図１０】本発明の第２の実施形態を備える間仕切装置において、図８と同様の拡大縦断側面図である。
【図１１】同じく図９と同様の拡大縦断側面図である。
【符号の説明】
(１)間仕切装置
(２)フレーム
(３)支柱
(3a)Ｖ字溝
(3b)係止孔
(3c)スリット
(3d)係合孔
(3e)通孔
(４)横杆
(５)係止具
(６)上部カバー
(７)幅木
(８)側部カバー
(９)嵌合孔
(10)取付具
(11)基板
(12)突片
(13)補強片
(14)抜け止め片
(15)係合片
(16)連結片
(17)係止爪
(18)押圧片
(19)ドライバー
(20)取付具
(21)連結片
(22)通孔
(23)窓孔
(24)キャップ
(Ｐ)パネル
【図１】
0003954222.tif 000002
【図２】
0003954222.tif 000003
【図３】
0003954222.tif 000004
【図４】
0003954222.tif 000005
【図５】
0003954222.tif 000006
【図６】
0003954222.tif 000007
【図７】
0003954222.tif 000008
【図８】
0003954222.tif 000009
【図９】
0003954222.tif 000010
【図１０】
0003954222.tif 000011
【図１１】
0003954222.tif 000012